(57)【要約】      （修正有）【課題】泥炭をブロアハウジングに送り込み、その回転翼によって飛散させて外気に晒すことで、脱水をおこなう、簡易な泥炭用乾燥装置を提供する。【解決手段】泥炭を掻き集めて後段へ送る掻込装置１１と、掻込装置の後段に配した飛散装置２０とからなり、飛散装置は、ブロアハウジング２１と、ブロアハウジング２１内に配した水平回転軸、回転翼板、および内ブロアハウジング２１の上に設けた飛散ガイド筒２５とを備える。回転翼板の先端にはスリットを設ける。スリットを設けることにより、回転翼板の先端をブロアハウジング２１の内側面に接近させたときの空気抵抗を軽減することが出来、駆動エンジンにかかる負担を軽減し、回転翼板の面積拡大の自由度を高めることが出来る。【選択図】図１
0003175109.tif 000002
【実用新案登録請求の範囲】
【請求項１】
泥炭を掻き集めて後段へ送る掻込装置と、
この掻込装置の後段に配した飛散装置とからなり、
前記飛散装置は、
前記掻込装置と対向する側に開口を備える略円筒形のブロアハウジングと、
該ブロアハウジング内に配した水平回転軸と、
該水平回転軸に取り付けた回転翼板と、
前記ブロアハウジング内に下端開口を連通させ、上端開口を上方または側方に向けた内部中空の飛散ガイド筒とを備えるとともに、
前記回転翼板の先端にスリットを備えることを特徴とする泥炭の乾燥装置。
【請求項２】
スリットは、回転翼板の先端に、左右対称に一つずつ設けることを特徴とする請求項１記載の泥炭の乾燥装置。
【考案の詳細な説明】
【技術分野】
【０００１】
本考案は、泥炭の乾燥装置に係り、とくに加熱をせずに泥炭を乾燥させる装置に関する。
【背景技術】
【０００２】
泥炭は、北海道のような寒冷地において植物遺骸が十分に分解されないまま堆積した土壌類似の堆積物である。燃料用にも用いられるが、空隙率が高く、保水性に富むため、腐植土として培養土に混入し、園芸用の土質を改善させるために用いられることも多い（特許文献１）。
【０００３】
泥炭は、水分が多いため乾燥させて各種の用途に使用する。従来、泥炭等の乾燥処理は、灯油等の化石燃料を用いて行った。その他、ビニールハウス内で太陽熱と木質燃料の燃焼熱を組み合わせておが屑を乾燥させる技術（特許文献２）、熱ガスと攪拌によって乾燥させる技術（特許文献３）、排気ガスを利用して乾燥させる技術（特許文献４）、マイクロ波を利用して乾燥させる技術（特許文献５）などが知られている。
【先行技術文献】
【特許文献】
【０００４】
【特許文献１】特開２００３−１１２９８７号
【特許文献２】特開２００７−２８５９９２号
【特許文献３】特開２００７−２５５８０７号
【特許文献４】特開２００４−０７６４７１号
【特許文献５】特開平０９−１１９７７５号
【考案の開示】
【考案が解決しようとする課題】
【０００５】
問題は、乾燥処理に要する燃料費用等の、費用対効果である。
【０００６】
特許文献２の技術は、ビニールハウスを改良した温室内のベルトコンベアによって、おが屑を動かしつつ昼間は太陽熱、夜間は木質燃料の燃焼熱を利用するが、温室を作る敷地を必要とすることや夜間の燃焼加熱の安全性確保に要する管理や人件費を考慮すると、一般的な実用化は困難である。
【０００７】
特許文献３の技術は、熱ガスを加えつつ攪拌するものであるが、燃料代が嵩むため、泥炭の乾燥処理には不向きである。
【０００８】
特許文献４の技術は、ショベルカーのような掘削バケット内の掘削土を乾燥するもので、車両の排気ガスをホースを介して掘削バケット内に送り込む。燃料代は嵩まないが、掘削バケット内の少量の掘削土を乾燥させるには適しても、大量の泥炭を乾燥させるには効率が悪い。
【０００９】
特許文献５の技術は、スクリューコンベアの下にマイクロ波発生装置を設けたもので、短時間で土砂の乾燥処理を行うには良いが、装置コストが嵩む難点がある。
【００１０】
そこで、本考案の目的は、初期費用が嵩む大規模設備を必要とせず、かつメンテナンスコストが嵩む加熱用燃料を用いずに、可能な限り低コストで泥炭を乾燥させる点にある。
【課題を解決するための手段】
【００１１】
前記目的を達成するため、本考案に係る泥炭の乾燥装置は、泥炭を掻き集めて後段へ送る掻込装置と、この掻込装置の後段に配した飛散装置とからなり、前記飛散装置は、前記掻込装置と対向する側に開口を備える略円筒形のブロアハウジングと、該ブロアハウジング内に配した水平回転軸と、該水平回転軸に取り付けた回転翼板と、前記ブロアハウジング内に下端開口を連通させ、上端開口を上方または側方に向けた内部中空の飛散ガイド筒とを備えるとともに、前記回転翼板の先端にスリットを備える（請求項１）。
【００１２】
かかる構成によれば、掻込装置を介して集めた泥炭をブロアハウジングに送り込むことにより、ブロアハウジング内の回転翼板によって泥炭を跳ね上げることが出来る。跳ね上げられた泥炭は、飛散ガイド筒を介して上方または側方に吹き飛ばされ、ばらばらになって飛散し、外気に晒されることで水分を失う。使用目的に応じて飛散処理を繰り返せば、適当な水分率に泥炭の乾燥度を調整できる。泥炭にはさまざまな種類があるが、とくにミズゴケの含有率が高い泥炭は飛散させて空気にさらすと、速やかに水分を喪失するので乾燥処理が容易である。
【００１３】
スリットは、回転翼板の先端に、左右対称に一つずつ設ける場合がある（請求項２）。
【００１４】
回転翼板の先端にスリット（細長い空隙）を設けるのは、ブロアハウジングの内周面と回転翼板の先端をより接近可能とするためである。飛散ガイド筒を介して泥炭を飛散させる場合、ブロアハウジングの内周面と回転翼板の先端をある程度接近させた方が効果的であることが実験によって判明した。しかし、ブロアハウジングの内周面と回転翼板の先端を度接させると、回転翼板の空気抵抗が大きくなるところ、回転翼板の先端にスリットを設けることにより空気抵抗を低減することが出来る。泥炭をすくい上げる効率を担保しつつ製造コストを低減するには、回転翼板の先端に左右対称で一つずつスリットを設けることが望ましい。
【考案の効果】
【００１５】
本考案に係る泥炭の乾燥装置によれば、大規模設備や加熱用燃料を用いることなく、低コストで泥炭を乾燥させることが出来る。
【図面の簡単な説明】
【００１６】
【図１】実施形態に係る乾燥装置を例示する平面図である。
【図２】実施形態に係るブロア装置を示す図である。
【図３】実施形態に係る回転翼板を例示する斜視図である。
【図４】実施形態に係る回転翼板とブロアハウジングを例示する図である。
【考案を実施するための形態】
【００１７】
図１は、本考案に係る泥炭の乾燥装置の全体構成を例示するものである。この乾燥装置は、例えば車両（特殊大型車両）１の前方に取り付けて、車両１の進行によって泥炭を乾燥させるものである。２は、運転用のコクピットである。
【００１８】
乾燥装置は、泥炭を掻き集めて後段へ送る掻込装置１１と、この掻込装置１１の後段に配した飛散装置２０とからなる。飛散装置２０は、掻込装置１１と対向する側に開口を備える略円筒形のブロアハウジング２１と、該ブロアハウジング２１内に配した水平回転軸２２と、該水平回転軸２２に取り付けた回転翼板３０（図２参照）と、ブロアハウジング２１内に下端開口を連通させ、上端開口を上方または側方に向けた内部中空の飛散ガイド筒２５とを備える。また、図３に示すように、回転翼板３０は、その先端にスリット３１、３２を左右対称に配設してある。乾燥装置は、車両１の前方に設けたメンバ部材Ｍ、および図示しない支持部材を介して車両１の前方に固定する。
【００１９】
掻込装置１１は、例えば、車両１の進行方向Ｘに対して直角をなすよう設けた回転軸１２と、この回転軸１２に基端部を取り付けた掻込翼１４を備える。回転軸１２は、例えば、車両１から電源供給を受ける駆動エンジンを介して駆動する。例えば、内燃エンジン、油圧モータ等である。図１に示す掻込翼１４は翼を平行に表示したが、掻込効果を良好にするには、隣り合う掻込翼１４は平面から見て異なる角度で設置することが望ましい。車両１の進行方向Ｘに対して斜め方向に設置した二つの掻込装置（１１）によっても構成できる。
【００２０】
飛散装置２０は、図２にも示すように、略円筒形のブロアハウジング２１内に、適当枚数、例えば５枚の回転翼板３０を備える。回転翼板３０は、ブロアハウジング２１の水平回転軸２２に基端部を固定してある。水平回転軸２２は、車両１の進行方向Ｘと同一方向の向きに配設するもので、断面略円形を呈するブロアハウジング２１の略中央となる位置に設けるものである。水平回転軸２２は、適宜の駆動エンジンを介して回転駆動する。例えば、発動機、油圧モータ、電気モータ等である。
【００２１】
また飛散装置２０の上部には、回転翼板３０の回転によって上方に吹き飛ばされる泥炭を外部に飛散放出するための内部中空の飛散ガイド筒２５を設けてある。この飛散ガイド筒２５は、ブロアハウジング２１内の空間に下端開口が連通しており、上端開口は上方または側方、例えば斜め上方に向けて設けてある。車両１の進行方向Ｘに対して、若干、側方（前方側方、後方側方を含む）に泥炭を飛散させるためである。飛散ガイド筒２５は、泥炭を外部に放出できればよいので内部中空であればよいが、下端開口の面積を上端開口の面積より大きくし、内部の孔の内径を下方に向かって拡開させておけば、内径を同一径とする場合に較べて飛散距離を稼ぐことが出来る。内部の孔の形状、下端開口の形状、上端開口の形状は、例えば四角形、円形等、自由にデザインできる。
【００２２】
回転翼板３０は、例えば、図３に示すように、水平回転軸２２に固定する基端部３０−１と、この基端部３０−１に連接して先端に向かって次第に拡開する拡開部３０−２と、この拡開部に連接する先端部３０−３とを備える。
【００２３】
図示しないが、好ましくは、回転翼板３０の裏面（回転方向Ｒに向かう面を表面としたときの裏面）には、回転翼板３０にかかる加重に抗するための補強材を設ける。補強材は、例えば、先端部３０−３から基端部３０−１にかけて配するとともに、先端部３０−３に適宜数を設けることが出来る。剛性がある直線状の部材を溶接固定すれば良い。
【００２４】
拡開部３０−２は、例えば、水平回転軸２２の先端部２２−１側（前方側）に湾曲を描いてカーブする曲線ラインをもつ。他方の側（後方側）は、直線ラインとしてあるが、前方と後方の両方に湾曲ラインを形成しても良い。
【００２５】
先端部３０−３は、基端部３０−１および拡開部３０−２より広い面積をもっている。泥炭をより多く飛散放出させるためである。泥炭をすくい上げやすいよう、先端部３０−３は表面（回転方向Ｒに向かう面）中央が凹んだ略Ｕ字状に湾曲形成させることが望ましい。
【００２６】
先端部３０−３は、その左右両端近傍に一個ずつスリット３１、３２を備える。このスリット３１、３２は、回転時における先端部３０−３の空気抵抗を軽減する機能を営むもので、先端縁を切り欠いて成形する。先端部３０−３の他の先端一般面にはスリットを設けなくても良いが、先端部３０−３の面積をさらに大きく設計する場合は、先端縁に適宜数のスリットまたは適宜形状の切欠部を設けても良い。
【００２７】
図４に示すように、ブロアハウジング２１の内側面と回転翼板３０の先端縁との間の隙間Ｑは、狭い方が好ましい。隙間Ｑが大きいと、僅かな外力でもばらばらになりやすい泥炭は、回転遠心力を受けて分解し隙間Ｑからこぼれ落るため、効率の良い飛散放出が出来ないからである。一方、隙間Ｑを狭くすると、回転翼板３０の空気抵抗が大きくなり、駆動エンジンの負担が増える。しかしながら、回転翼板３０の先端部３０−３にスリット３１、３２を設けることにより、回転翼板３０の空気抵抗が軽減され、水平回転軸２２を回転駆動する駆動エンジンの負担も軽減されるため、エンジンの小型化や装置コストの低減など、経済効率の良い装置構成とすることが可能となる。
【００２８】
従って、かかる構成によれば、掻込装置１１によって泥炭を取り込み、後段の飛散装置２０へ送り込むと、ブロアハウジング２１内で回転している回転翼板３０が泥炭をすくい上げるとともに、最上部近傍に配してある飛散ガイド筒２５を介して泥炭を外部上方へ飛散放出させる。上方への飛散放出により泥炭は、ばらばらになって外気に晒され、水分を失う。
【００２９】
一回の飛散放出処理によって、使用目的に応じた水分量にまで乾燥させることができなかったときは、複数回、飛散放出による泥炭の乾燥処理を行えばよい。この実施形態では、掻込装置１１および飛散装置２０を車両１の前方に固定してあるから、車両１を走行させながら、連続的に泥炭の乾燥処理を行うことが出来る。大規模な施設も必要とせず、加熱用燃料も要しないので、設備の初期導入コストを抑え、ランニングコストも従来に較べて確実に削減することが可能である。
【００３０】
また、スリット３１、３２を設けることにより回転翼板３０にかかる空気抵抗を軽減できるので、回転翼板３０の先端部３０−３の面積をより拡大させることが可能となるので、処理効率を向上させるための回転翼板３０のデザイン変更の自由度も高まる。
【００３１】
なお、本考案に係る泥炭の乾燥装置は、車両１とは無関係に稼働させても良い。例えば、ベルトコンベア装置等の搬送装置を用いて泥炭を掻込装置１１に送り込む装置構成とすれば、連続的に泥炭を乾燥させることが可能である。また、回転翼板（３０）の先端は、略Ｕ字状に成形するほか略Ｖ字状に成形しても良く、湾曲または屈曲させない平板状であっても良い。掻込翼１４、回転翼板３０は金属製とすることが望ましい。各翼（１４、３０）は一枚板でなくても良く、溶接により複数の金属板を接続させて構成しても良い。
【符号の説明】
【００３２】
１  車両
２  コクピット
１１  掻込装置
１２  回転軸
１４  掻込翼
２０  飛散装置
２１  ブロアハウジング
２２  水平回転軸
２２−１  （水平回転軸の）先端部
２５  飛散ガイド筒
３０  回転翼板
３１、３２  スリット
３０−１  基端部
３０−２  拡開部
３０−３  先端部
Ｍ  メンバ部材
Ｒ  回転方向
Ｑ  隙間
Ｘ  車両の進行方向
【図１】
0003175109.tif 000003
【図２】
0003175109.tif 000004
【図３】
0003175109.tif 000005
【図４】
0003175109.tif 000006